(57)【要約】【課題】簡単な構造で建枠の横架部材両側の隙間を作業性良く塞ぐことができ、階段もつかみ金具を利用して設けることが可能な枠組足場を提供する。【解決手段】門形をした２本の建枠１を交叉筋違２で連結し、建枠頂部の横架部材１１に踏板３を載置してユニット足場とし、このユニット足場を左右方向と上下方向に連結した枠組足場において、踏板の長手方向の一端の両側に吹き上げ防止部材付のつかみ金具４を取り付け、他端の両側に、吹き上げ防止部を有するフック５を取り付けるとともに、フックの上側に隙間埋めプレート６を取り付け、つかみ金具およびフックをそれぞれ建枠の横架部材に引っ掛けて固定すると、この隙間埋めプレートが隣接するユニット足場の踏板との隙間を塞ぐようにする。【選択図】  図５
2005009127.tif 000002
【特許請求の範囲】
【請求項１】
門形をした２本の建枠を交叉筋違で連結し、建枠の横架部材に踏板を載置してユニット足場とし、このユニット足場を左右方向と上下方向に連結した枠組足場において、
前記踏板は、長手方向の一端の両側に吹き上げ防止部材付のつかみ金具が取り付けられ、他端の両側に、吹き上げ防止部を有するフックが取り付けられるとともに、該フックの上側に隙間埋めプレートが取り付けられ、
前記つかみ金具およびフックをそれぞれ建枠の横架部材に引っ掛けて固定すると、該隙間埋めプレートが隣接するユニット足場の踏板との隙間を塞ぐことを特徴とする枠組足場。
【発明の詳細な説明】
【０００１】
【発明の属する技術分野】
本発明は、建設現場などで使用される枠組足場に関し、更に詳しくは建枠の横架部材に載置される踏板に関するものである。
【０００２】
【従来の技術】
建設現場などで使用される枠組足場は、図６に示すように、門形をした２本の建枠１を交叉筋違２で連結し、建枠１頂部の横架部材１１に踏板３の両端に取り付けられたつかみ金具４を引っ掛けて固定し、これをユニット足場とする。そして、このユニット足場を建設現場の横幅と高さに応じて左右方向と上下方向に連結して構成される。
【０００３】
【発明が解決しようとする課題】
ここで、つかみ金具４は、踏板３の端部から延び出すようにして取り付けられているので、図７に示すように、建枠１の横架部材１１につかみ金具４を引っ掛けて固定したときに、横架部材１１の両側に隙間Ｓができる。そして、この隙間Ｓからボルトやナットなどの小さな建設資材やハンマーやドライバーなどの建設工具などが落下する危険性がある。
【０００４】
このため、専用の部材を後から取り付けてこの隙間を塞ぐこと、例えば木製の板材を番線でつかみ金具に固定して隙間を塞ぐことなどが行われているが、専用の別部材であるためにコスト高になることや後から取り付けるために作業性が悪いなどの不具合があった。
また、プレートを踏板の両端から延び出すように取り付け、横架部材につかみ金具を引っ掛けたときに横架部材の両側の隙間をプレートで塞ぐようにしたものも実用化されている。しかしこの場合、プレートはつかみ金具の上に取り付けられるので、つかみ金具はほとんどプレートで隠れた状態になる。一方、枠組足場に階段を設ける場合は、つかみ金具に階段を取り付けると簡単な構造で階段を設けることができるが、つかみ金具がプレートでほとんど隠れているので階段をつかみ金具に取り付けることができず、複雑な構造で階段を設ける必要が生じる不具合がある。
【０００５】
そこで本発明は、簡単な構造で建枠の横架部材両側の隙間を作業性良く塞ぐことができ、階段もつかみ金具を利用して設けることが可能な枠組足場を提供することを目的とする。
【０００６】
【課題を解決するための手段】
かかる目的を達成するために、本発明は、門形をした２本の建枠を交叉筋違で連結し、建枠頂部の横架部材に踏板を載置してユニット足場とし、このユニット足場を左右方向と上下方向に連結した枠組足場において、踏板の長手方向の一端の両側に吹き上げ防止部材付のつかみ金具を取り付け、他端の両側に、吹き上げ防止部を有するフックを取り付けるとともに、フックの上側に隙間埋めプレートを取り付け、つかみ金具およびフックをそれぞれ建枠の横架部材に引っ掛けて固定すると、この隙間埋めプレートが隣接するユニット足場の踏板との隙間を塞ぐようにする。
【０００７】
【発明の実施の形態】
以下、図面に基づいて本発明の実施の形態を説明する。図１において、踏板３の長手方向の一端の両側につかみ金具４、４が踏板３から延び出すように固定されている。つかみ金具４は、枠組足場の分野では周知のものであるが、引っ掛け部４１は下向きのＵ字状であり、下側に吹き上げ防止部材４２が設けられている。そして、つかみ金具４を建枠１の横架部材１１に引っ掛けるとき、横架部材１１が吹き上げ防止部材４２に当接すると、吹き上げ防止部材４２は回動して逃げ、引っ掛け部４１を横架部材１１に引っ掛けることができる。引っ掛けが終わると、吹き上げ防止部材４２は逆方向に回動して横架部材１１の下側に入り込んでストッパーの役目を果たし、踏板３が強風などで吹き上げられても踏板３は浮き上がらないようになっている。
【０００８】
踏板３の他端の両側にはフック５が踏板３から延び出すように固定されている。そして、隙間埋めプレート６がフック５を覆うように踏板３の他端に取り付けられている。図２および図３に示すように、フック５は、肉厚の鉄板をクランク状に屈曲させたものであり、その基端部がリベット５９にて踏板３に固定されている。そして、端部がフック５を覆う隙間埋めプレート６の横幅は踏板３の横幅よりも幾分小さくなっており、組み立てたときに、隙間埋めプレート６が隣接する踏板３のつかみ金具４と干渉しないようになっている。フック５の引っかけ部５１は円弧状であり、引っかけ部５１の下端が吹き上げ防止部５２である。そして、フック５の引っ掛け部５１を横架部材１１に引っ掛けたとき、吹き上げ防止部５２は横架部材１１の中心を通る水平面よりも下側になってストッパーの役目を果たし、踏板３が強風などで吹き上げられても踏板３は浮き上がらないようになっている。
【０００９】
しかして組み立てるときは、図４の仮想線で示すように、踏み板３を斜めにしてフック５の引っ掛け部５１を一方の建枠１の横架部材１１に斜め上方から差し込む。そして、踏板３を水平方向に回動すると、他端のつかみ金具４が他方の建枠１の横架部材１１に引っ掛けられる。このとき、フック５の吹き上げ防止部５２は横架部材１１の中心を通る水平面よりも下側になり、また、つかみ金具４の吹き上げ防止部材４２も横架部材１１の下側に回り込み、踏板３が強風などで吹き上げられても踏板３は浮き上がらない。なお、枠組足場を分解するときは、この逆の操作を行えばよい。つまり、つかみ金具４の吹き上げ防止部材４２を手で回動させてつかみ金具４側の踏板３を少し持ち上げて斜めにし、フック５を横架部材１１から引き離せばよく、隙間埋めプレート６が踏板３に一体に取り付けられているので組立作業および分解作業は極めて容易である。
【００１０】
そして、図５に示すように、隣接するユニット足場の踏板３、３間の隙間、つまり建枠１の横架部材１１両側の隙間は隙間埋めプレート６によりほぼ完全に塞がれるので、ボルトやナットなどの小さな建設資材やハンマーやドライバーなどの建設工具などの落下事故を防止することができる。また、隙間埋めプレート６は踏板３の一方の端部にのみ取り付けられているので、つかみ金具４は完全に露出している。従って、このつかみ金具４を利用して階段を容易に取り付けることができる。
【００１１】
【発明の効果】
以上説明したように、本発明は、門形をした２本の建枠を交叉筋違で連結し、建枠頂部の横架部材に踏板を載置してユニット足場とし、このユニット足場を左右方向と上下方向に連結した枠組足場において、踏板の長手方向の一端の両側に吹き上げ防止部材付のつかみ金具を取り付け、他端の両側に、吹き上げ防止部を有するフックを取り付けるとともに、フックの上側に隙間埋めプレートを取り付け、つかみ金具およびフックをそれぞれ建枠の横架部材に引っ掛けて固定すると、この隙間埋めプレートが隣接するユニット足場の踏板との隙間を塞ぐので、簡単な構造で建枠の横架部材両側の隙間を作業性良く塞ぐことができ、階段もつかみ金具を利用して設けることが可能な枠組足場とすることができる。
【図面の簡単な説明】
【図１】（Ａ）は踏板の平面図、（Ｂ）は正面図である。
【図２】図１のＰ部の拡大図である。
【図３】踏板要部の一部を切り欠いた平面図である。
【図４】組立て方法の説明図である。
【図５】本発明実施例の平面図である。
【図６】枠組足場の説明図である。
【図７】従来例の説明図である。
【符号の説明】
１    建枠
１１    横架部材
２    交叉筋違
３    踏板
４    つかみ金具
４１    引っ掛け部
４２    吹き上げ防止部材
５    フック
５１    引っ掛け部
５２    吹き上げ防止部
５９    リベット
６    隙間埋めプレート
【図１】
2005009127.tif 000003
【図２】
2005009127.tif 000004
【図３】
2005009127.tif 000005
【図４】
2005009127.tif 000006
【図５】
2005009127.tif 000007
【図６】
2005009127.tif 000008
【図７】
2005009127.tif 000009